(57)【特許請求の範囲】
【請求項１】
現用系送信部及び予備系送信部を有するホットスタンバイ方式の送信機に対向する受信機から、前記送信機に関する故障信号を入力する故障信号入力手段と、
この故障信号入力手段が前記故障信号を入力すると、前記現用系送信部から前記予備系送信部に切り替える送信切替信号を出力する送信切替信号出力手段と、
この送信切替信号出力手段によって前記送信切替信号が出力されてから一定時間経過しても、前記故障信号入力手段によって前記故障信号が入力されていれば、前記予備系送信部の送信出力レベルを最小化する送信出力最小化信号を出力する送信出力最小化信号出力手段と、
を備えたことを特徴とする送信電力制御装置。
【請求項２】
前記故障信号入力手段、前記送信切替信号出力手段及び前記送信出力最小化信号出力手段が前記送信機に設けられた、
ことを特徴とする請求項１記載の送信電力制御装置。
【請求項３】
前記送信機が第一の送受信機であり、前記受信機が第二の送受信機である、
ことを特徴とする請求項１又は２記載の送信電力制御装置。
【請求項４】
現用系送信部及び予備系送信部を有するホットスタンバイ方式の送信機に対向する受信機から、前記送信機に関する故障信号を入力する第一ステップと、
この故障信号を入力すると、前記現用系送信部から前記予備系送信部に切り替える送信切替信号を出力する第二ステップと、
この送信切替信号が出力されてから一定時間経過しても、前記故障信号が入力されていれば、前記予備系送信部の送信出力レベルを最小化する送信出力最小化信号を出力する第三ステップと、
を含むことを特徴とする送信電力制御方法。
【請求項５】
前記第一ステップ、前記第二ステップ及び前記第三ステップは前記送信機が実行する、
ことを特徴とする請求項４記載の送信電力制御方法。
【請求項６】
前記送信機が第一の送受信機であり、前記受信機が第二の送受信機である、
ことを特徴とする請求項４又は５記載の送信電力制御方法。
【請求項７】
現用系送信部及び予備系送信部を有するホットスタンバイ方式の送信機に対向する受信機から、前記送信機に関する故障信号を入力する故障信号入力手段、
この故障信号入力手段が前記故障信号を入力すると、前記現用系送信部から前記予備系送信部に切り替える送信切替信号を出力する送信切替信号出力手段、
及び、この送信切替信号出力手段によって前記送信切替信号が出力されてから一定時間経過しても、前記故障信号入力手段によって前記故障信号が入力されていれば、前記予備系送信部の送信出力レベルを最小化する送信出力最小化信号を出力する送信出力最小化信号出力手段、
としてコンピュータを機能させるための送信電力制御プログラム。
【請求項８】
前記コンピュータは前記送信機に設けられものである、
ことを特徴とする請求項７記載の送信電力制御プログラム。
【請求項９】
前記送信機が第一の送受信機であり、前記受信機が第二の送受信機である、
ことを特徴とする請求項７又は８記載の送信電力制御プログラム。
【発明の詳細な説明】
【技術分野】
【０００１】
本発明は、例えばマイクロ波ディジタル通信に使用されるホットスタンバイ方式における送信電力制御装置等に関する。
【背景技術】
【０００２】
例えばマイクロ波ディジタル通信において、通信機器を多重化して信頼性を向上させたホットスタンバイ方式が用いられている（特許文献１）。ホットスタンバイ方式では、同じ構成の送受信部を現用系及び予備系の二系統用意し、現用系及び予備系の両方を同時に動作させつつ、通常は現用系のみで信号を処理する。これにより、現用系に障害が発生すると、即座に予備系に処理を引き継ぐことができる。このようなホットスタンバイ方式の一例として、特許文献１に記載された無線通信システム（以下「第一従来技術」という。）を、図５に基づき説明する。
【０００３】
送信端５０の入力端５１に加えられたベースバンド信号は、ハイブリッド５２で分岐されて現用系及び予備系の各ベースバンド処理部５３ａ，５３ｂへ出力され、それぞれ変調部５４ａ，５４ｂ及び送信部５５ａ，５５ｂで処理される。送信部５５ａ，５５ｂの出力信号は、切替器５７及び送受共用器５８を通って、アンテナ５９から送信される。また、送信部５５ａ，５５ｂの出力電力は、それぞれ検出器５６ａ，５６ｂで検出される。制御回路６１は、切替器５７を制御する。
【０００４】
一方、受信端７０のアンテナ７９で受信された信号は、送受共用器７８を経て、ハイブリッド８０で二分岐され、現用系及び予備系の各受信部７１ａ，７１ｂに入力され、それぞれ復調部７２ａ，７２ｂ及びベースバンド処理部７３ａ，７３ｂで処理される。ベースバンド処理部７３ａ，７３ｂの出力信号は、現用系／予備系切替用の切替器７４を経て、出力端７５から出力される。また、監視回路７６は、ベースバンド処理部７３ａ，７３ｂの出力信号に基づいて、伝送信号の連続性を監視する。更に、送信装置７７は受信端７０から送信端５０への逆回線を経て信号を送り、受信装置６０は同じく逆回線を経て受信端５０で信号を受ける。
【０００５】
ここで、送信端５０において現用系及び予備系の双方の検波器５６ａ，５６ｂでの検出結果は、送信部５５ａ，５５ｂの出力電力が正常であることを示しており、かつ双方の変調部５４ａ，５４ｂは警報を出していない状態でありながら、現用系の変調部５４ａの故障により、送信信号に異常を生じているとする。この送信信号の異常は、サイレントフェイリア（Silent Failure：無警報の故障）と呼ばれる。この状態では、送信端５０では異常を検出できないので、切替器５７は現用系を保持したままである。
【０００６】
このとき、受信端７０において監視回路７６は、現用系及び予備系の双方の信号に異常が生じていることを検出する。送信端５０の装置の故障であれば、この状態は長く続く。そこで、監視回路７６は、信号異常が所定の時間長を超えて継続することを検出すると、その情報を送信装置７７から逆回線を通して送信端５０の受信装置６０に向けて送信する。この信号異常継続の情報を受信装置６０から与えられると、制御回路６１は、これに応じて切替器５７を制御して、予備系の送信部５５ｂに接続を切り替える。この結果、送信端５０では、予備系の送信部５５ｂが出力する正常な信号を受信端７０に向けて送信し始める。
【０００７】
このように、受信端７０において現用系及び予備系の双方の受信信号に異常を示したことを示す情報を、逆回線で送信端５０に伝送することにより、送信端５０でサイレントフェイリアが発生した場合でも、送信端５０で現用系／予備系の切り替えが可能となる。
【０００８】
ところで、同じくマイクロ波ディジタル通信において、与干渉の最小化や消費電力の低減化を実現する送信電力制御（ATPC：Automatic Transmitting Power Control）方式が用いられている（特許文献２）。このような送信電力制御方式の一例として、特許文献２に記載された無線通信システム（以下「第二従来技術」という。）を、図６に基づき説明する。
【０００９】
Ａ局９０Ａ側の送信機９１はＢ局９０Ｂ側に、Ａ局９０ＡからＢ局９０Ｂへの無線回線を通じて信号Ｓ００を送る。Ｂ局９０Ｂ側の受信機９２はその信号Ｓ００を受信し、また受信入力レベルを表す受信入力レベル情報Ｓ０１を送信電力制御器９３へ出力し、受信した信号Ｓ００をＢＥＲ（Bit Error Rate）検出器９４へ出力する。
【００１０】
ＢＥＲ検出器９４は、信号Ｓ００を受け取ると、その信号Ｓ００に基づいて受信信号回線品質を検出し、予め定められたＢＥＲよりも悪いＢＥＲを検出したとき、回線品質劣化警報情報Ｓ０３を出力する。判定器９５は、時間設定が可能なタイマを備えており、そのタイマの設定時間より長い時間、ＢＥＲ検出器９４が回線品質劣化警報情報Ｓ０３を継続して出力した場合、機器故障情報Ｓ０４を送信電力制御器９３へ出力する。
【００１１】
通常、送信電力制御器９３は、受信機９２からの受信入力レベル情報Ｓ０１に基づき、Ｂ局９０ＢからＡ局９０Ａへの逆ルートの回線を通じて送信機９１の送信出力レベルを制御する。例えば、受信入力レベル情報Ｓ０１が表す受信入力レベルが低い場合には、送信出力レベルを高めるための送信出力レベル制御信号Ｓ０２を送信機９１へ出力し、その送信出力レベルを上昇させる。その結果、フェージングが生じた場合でも、送信出力レベルは常に適切なレベルに保たれるので、受信入力レベルの低下に伴う信号の劣化が防止される。なお、フェージングとは、無線通信や放送において、無線局の移動や時間経過に伴って、電波の受信レベルが変動することである。
【００１２】
しかし、送信電力制御器９３は、判定器９５が機器故障情報Ｓ０４を出力すると、受信入力レベル情報Ｓ０１が受信入力レベルの低下を示すときでも、フェージングが生じたのではなく機器の故障が発生したと判断し、直ちに送信出力レベル制御信号Ｓ０２を出力して送信機９１の送信出力レベルを最低値まで下げさせる。
【００１３】
このような送信電力制御方式によれば、機器故障を正確に判断して送信出力レベルを下げることにより、誤ってフェージングであると判断して送信出力レベルを上げてしまうことがないので、隣接干渉を防ぐことが可能となる。
【００１４】
【特許文献１】特開昭６３−２８３２３６号公報「装置予備切替方式」
【特許文献２】特開平５−１９１３００号公報「無線装置の送信電力制御方式」
【発明の開示】
【発明が解決しようとする課題】
【００１５】
しかしながら、前述した第一従来技術と第二従来技術とを組み合わせると、サイレントフェイリア対策用制御と送信電力制御とをそれぞれ独立に実行することになるので、次のような問題が生じる。
【００１６】
第１の問題点は、サイレントフェイリアが発生した場合にその救済ができなくなることである。その理由は、送信電力制御ではサイレントフェイリアを機器故障と判断することにより送信電力を最小にするため、その後にサイレントフェイリア対策として予備系に切り替えても、送信電力が最小になった状態は変わらないためである。逆に、先にサイレントフェイリア対策として予備系に切り替えても、この切り替え時に発生する受信側アラームが送信電力制御における機器故障の条件に含まれるため、切り替え後に送信電力が最小になるからである。
【００１７】
第２の問題点は、サイレントフェイリア対策用信号と送信電力制御用信号とを独立に送信するため、補助信号の伝送効率が悪いことである。
【００１８】
そこで、本発明の主な目的は、ホットスタンバイ方式と送信電力制御方式とを採用した構成において、サイレントフェイリア対策のための制御と与干渉を最小とするための制御とを正常に動作し得る、送信電力制御装置等を提供することにある。
【課題を解決するための手段】
【００１９】
本発明に係る送信電力制御装置は、故障信号入力手段、送信切替信号出力手段及び送信出力最小化信号出力手段を備えている。故障信号入力手段は、現用系送信部及び予備系送信部を有するホットスタンバイ方式の送信機に対向する受信機から、その送信機に関する故障信号を入力する。送信切替信号出力手段は、故障信号入力手段が故障信号を入力すると、現用系送信部から予備系送信部に切り替える送信切替信号を出力する。送信出力最小化信号出力手段は、送信切替信号出力手段によって送信切替信号が出力されてから一定時間経過しても、故障信号入力手段によって故障信号が入力されていれば、予備系送信部の送信出力レベルを最小化する送信出力最小化信号を出力する。
【００２０】
前述したように、第一従来技術と第二従来技術とを単に組み合わせた技術では、受信機から故障信号を入力すると、現用系送信部から予備系送信部に切り替える送信切替信号を出力すると同時に、予備系送信部の送信出力レベルを最小化する送信出力最小化信号を出力することになる。そのため、サイレントフェイリア対策のために予備系送信部に切り替えても、送信出力レベルが最小になってしまうため、結果的にサイレントフェイリアを救済できない。
【００２１】
これに対し、本発明では、受信機から故障信号を入力すると、現用系送信部から予備系送信部に切り替える送信切替信号を出力して、そのまま一定時間待機する。この一定時間中に、故障信号を入力しなくなれば、故障原因がサイレントフェイリアであったことになり、そのサイレントフェイリアは救済される。一方、この一定時間を過ぎても、故障信号を入力していれば、予備系送信部に切り替えても回復しない深刻な故障であったことになり、これ以上送信を続けても隣接干渉を生じさせるだけであるので、予備系送信部の送信出力レベルを最小化する。
【００２２】
また、故障信号入力手段、送信切替信号出力手段及び送信出力最小化信号出力手段は、送信機に設けてもよい。更に、送信機が第一の送受信機であり、受信機が第二の送受信機である、としてもよい。
【００２３】
本発明に係る送信電力制御方法は、第一ステップ、第二ステップ及び第三ステップを含むことを特徴とする。第一ステップでは、現用系送信部及び予備系送信部を有するホットスタンバイ方式の送信機に対向する受信機から、送信機に関する故障信号を入力する。第二ステップでは、故障信号を入力すると、現用系送信部から予備系送信部に切り替える送信切替信号を出力する。第三ステップでは、送信切替信号が出力されてから一定時間経過しても、故障信号が入力されていれば、予備系送信部の送信出力レベルを最小化する送信出力最小化信号を出力する。本発明に係る送信電力制御方法も、本発明に係る送信電力制御装置と同じ作用を奏する。
【００２４】
本発明に係る送信電力制御プログラムは、故障信号入力手段、送信切替信号出力手段及び送信出力最小化信号出力手段として、コンピュータを機能させるためのものである。故障信号入力手段は、現用系送信部及び予備系送信部を有するホットスタンバイ方式の送信機に対向する受信機から、送信機に関する故障信号を入力する。送信切替信号出力手段は、故障信号入力手段が故障信号を入力すると、現用系送信部から予備系送信部に切り替える送信切替信号を出力する。送信出力最小化信号出力手段は、送信切替信号出力手段によって送信切替信号が出力されてから一定時間経過しても、故障信号入力手段によって故障信号が入力されていれば、予備系送信部の送信出力レベルを最小化する送信出力最小化信号を出力する。本発明に係る送信電力制御プログラムも、本発明に係る送信電力制御装置と同じ作用を奏する。
【００２５】
また、本発明は、次のように言い換えることができる。送信電力制御を用いた送信切替方式において、送信側の送信電力制御信号及び送信切替制御信号を生成する制御回路が実装され、この制御回路には対向（受信側）局から送られてくる送信出力制御信号が入力される。また、受信側において、送信出力制御用信号を生成する送信電力制御盤が実装され、送信電力制御盤が受信入力レベル情報及び回線品質情報を入力して送信制御信号を出力する。この送信制御信号は、対向（送信側）局に送るべく送信盤に入力される。
【発明の効果】
【００２６】
本発明によれば、対向する受信機から送信機に関する故障信号を入力すると、現用系送信部から予備系送信部に切り替える送信切替信号を出力し、一定時間経過しても故障信号が入力されていれば送信出力レベルを最小化する送信出力最小化信号を出力することにより、サイレントフェイリア対策のための制御を実行した後に、与干渉を最小とするための制御を実行できるので、ホットスタンバイ方式と送信電力制御方式とを採用した構成において、サイレントフェイリア対策のための制御と与干渉を最小とするための制御とを正常に動作させることができる。
【００２７】
換言すると、第１の効果は、送信電力制御を用いたホットスタンバイ方式において、サイエレントフェイリアが発生した場合に、与干渉を考慮し送信出力を最小化すべきときでも、そのサイエレントフェイリアを救済できることである。その理由は、送信側で送信切替制御と送信出力レベル最小化制御とをそれぞれ独立に実行した場合の矛盾が、受信側の一つの送信出力レベル制御信号を用いて判断し各制御を実行することにより解消されるためである。第２の効果は、送信電力制御用信号のみを用いて送信側で送信切替制御と送信出力レベル最小化制御とを実行するため、補助信号の伝送効率が向上することである。第３の効果は、受信側の制御信号作成回路が送信電力制御用のみでよくなるので、構成が簡単になることである。
【発明を実施するための最良の形態】
【００２８】
図１は、本発明に係る送信電力制御装置の一実施形態を示すブロック図である。図２は、図１の送信電力制御装置を含む無線通信システムの第一例を示すブロック図である。図３は、図１の送信電力制御装置の動作の一例を示すフローチャートである。以下、これらの図面に基づき説明する。
【００２９】
図１及び図２に示すように、本実施形態の送信電力制御装置は、故障信号入力手段１５１、送信切替信号出力手段１５２及び送信出力最小化信号出力手段１５３として、制御回路１５の内部に実現されている。故障信号入力手段１５１は、現用系送信部（送信盤１１ａ及びミュート回路１２ａ）及び予備系送信部（送信盤１１ｂ及びミュート回路１２ｂ）を有するホットスタンバイ方式の送受信機１０に対向する送受信機２０から、送受信機１０に関する故障信号（送信出力レベル制御信号Ｓ６）を入力する。送信切替信号出力手段１５２は、故障信号入力手段１５１が故障信号を入力すると、現用系送信部から予備系送信部に切り替える送信切替信号（送信ミュート信号Ｓ８ａ，Ｓ８ｂ）を出力する。送信出力最小化信号出力手段１５３は、送信切替信号出力手段１５２によって送信切替信号が出力されてから一定時間経過しても、故障信号入力手段１５１によって故障信号が入力されていれば、予備系送信部の送信出力レベルを最小化する送信出力最小化信号（送信出力制御信号Ｓ７ａ，Ｓ７ｂ）を出力する。
【００３０】
制御回路１５は次のように動作する。まず、送受信機２０から故障信号を入力すると、現用系送信部から予備系送信部に切り替える送信切替信号を出力して、そのまま一定時間待機する。この一定時間中に、故障信号を入力しなくなれば、故障原因がサイレントフェイリアであったことになり、そのサイレントフェイリアは救済される。一方、この一定時間を過ぎても、故障信号を入力していれば、予備系送信部に切り替えても回復しない深刻な故障であったことになり、これ以上送信を続けても隣接干渉を生じさせるだけであるので、予備系送信部の送信出力レベルを最小化する。
【００３１】
なお、故障信号入力手段１５１、送信切替信号出力手段１５２及び送信出力最小化信号出力手段１５３は、制御回路１５に含まれるマイクロコンピュータ及びそのプログラムによって実現してもよいし、ＩＣ等のハードウェアによって実現してもよい。
【００３２】
次に、図２に基づいて更に詳しく説明する。送受信機１０は、送信盤１１ａ，１１ｂ、ミュート回路１２ａ，１２ｂ、受信盤１３ａ，１３ｂ、切替回路１４、制御回路１５、送受共用器１６ａ，１６ｂ、アンテナ１７ａ，１７ｂ等から成る。送信盤１１ａ及びミュート回路１２ａが現用系送信部であり、送信盤１１ｂ及びミュート回路１２ｂが予備系送信部である。これとは逆に、送信盤１１ａ及びミュート回路１２ａが予備用系送信部であり、送信盤１１ｂ及びミュート回路１２ｂが現用系送信部である、としてもよい。送受信機２０は、送信盤２１ａ，２１ｂ、ミュート回路２２ａ，２２ｂ、受信盤２３ａ，２３ｂ、ＢＥＲ検出回路２４ａ，２４ｂ、送信電力制御盤２５、送受共用器２６ａ，２６ｂ、アンテナ２７ａ，２７ｂ、分岐回路２８等から成る。
【００３３】
送受信機２０側では、送信電力制御盤２５のみを用いて、送信出力レベル制御信号Ｓ４ａ，Ｓ４ｂを対向する送受信機１０へ送信する。送受信機１０側では、制御回路１５のみを用いて、入力した送信出力レベル制御信号Ｓ６に基づいて送信出力制御信号Ｓ７ａ，Ｓ７ｂ及び送信切替信号Ｓ８ａ，Ｓ８ｂを出力して、送信盤１１ａ，１１ｂ及びミュート回路１２ａ，１２ｂを制御する。
【００３４】
換言すると、送受信機１０側の制御回路１５は、送信出力レベル制御信号Ｓ６を入力し、その送信出力レベル制御信号Ｓ６の条件から送信出力制御信号Ｓ７ａ，Ｓ７ｂ及び送信ミュート信号Ｓ８ａ，Ｓ８ｂを出力することにより、送信盤１１ａ，１１ｂによる送信制御及びミュート回路１２ａ，１２ｂによる送信切替を実行する。一方、送受信機２０側の送信電力制御盤２５は、受信入力レベル情報Ｓ１ａ，Ｓ１ｂ及び回線品質劣化情報Ｓ２ａ，Ｓ２ｂを入力し、送信出力レベル制御信号Ｓ３を出力する。送信出力レベル制御信号Ｓ３は、対向する送受信機１０へ当該送信制御情報を送ることを目的として、送信盤２１ａ，２１ｂに入力される。
【００３５】
次に、図２の無線通信システム全体の動作について説明する。まず、送受信機２０において、アンテナ２７ａ，２７ｂ、送受共用器２６ａ，２６ｂ及び受信盤２３ａ，２３ｂを経て受信されたレベル検出信号は、それぞれ受信入力レベル情報Ｓ１ａ，Ｓ１ｂとして送信電力制御盤２５に入力される。
【００３６】
送信電力制御盤２５では、受信入力レベル情報Ｓ１ａ，Ｓ１ｂのうち高い方の受信入力レベルが第一の下限値よりも低くなると、送信出力アップ信号を送信出力レベル制御信号Ｓ３として出力する。この場合、通常のフェージングのように連続的に受信入力レベルが下るときは、第二の下限値に達するまで送信出力アップ信号を発生し続ける。それでも受信入力レベルが下がり続けるときは、ＢＥＲ検出回路２４ａ，２４ｂが回線断と判断して回線品質劣化情報Ｓ２ａ，Ｓ２ｂを送信電力制御盤２５へ出力する。
【００３７】
通常のフェージングによる受信入力レベルの低下であれば、フェージング条件の回復によって回線が復旧する。すなわち、受信入力レベルが上がって正常動作となると、回線品質劣化情報Ｓ２ａ，Ｓ２ｂが解除され、更に第一の上限値を超えて受信入力レベルが上がると、送信電力制御盤２５が送信出力ダウン信号を送信出力レベル制御信号Ｓ３として出力する。そして、受信入力レベルが第一の上限値以下になると、送信出力ダウン信号が止まることにより、送信電力制御を行わない定常の動作に戻る。
【００３８】
ここで、機器故障（送信側のサイレントフェイリアを含む。）を考慮すると、機器故障時にも回線品質劣化情報Ｓ２ａ．Ｓ２ｂが発生する。ただし、機器故障の場合は該当機器を交換又は修理するまで復旧しないため、回線品質劣化情報Ｓ２ａ，Ｓ２ｂは継続する。したがって、回線品質劣化情報Ｓ２ａ，Ｓ２ｂが一定時間続くと、機器故障を示す送信出力最小化制御信号（以下「機器故障信号」という。）を送信出力レベル制御信号Ｓ３として送受信機１０側へ送信する。
【００３９】
次に、送受信機１０の動作を説明する。当初の送信出力制御動作では、送信出力アップ信号及び送信出力ダウン信号に基づいて送信盤１１ａ，１１ｂの送信出力を制御する。それで、機器故障信号を検出するまでは、この送信出力制御動作をし続ける。
【００４０】
機器故障信号を検出した後の動作を、図２及び図３に基づき説明する。制御回路１５は、送信出力レベル制御信号Ｓ６を入力し、機器故障信号を検出すると（ステップ１０１，１０２）、送信切替信号Ｓ８ａ，Ｓ８ｂを送信して、ミュート回路１２ａをオフにし、ミュート回路１２ｂをオンにすることにより、サイレントフェイリアを救う切替を行う（ステップ１０３）。これとは逆に、ミュート回路１２ａをオンにし、ミュート回路１２ｂをオフにすることもある。
【００４１】
続いて、制御回路１５は、一定時間τ1が経過しても機器故障信号を検出したままであれば、送信盤１１ａ，１１ｂの送信出力を最小化する送信出力最小化信号を送信出力制御信号Ｓ７ａ，Ｓ７ｂとして出力する（ステップ１０４〜１０６）。これにより、与干渉が防止される。もし、サイレントフェイリアによる機器故障信号の発動であったならば、当初の送信切替にて復旧するため、一定時間τ1後には機器故障信号が解除されるので、その後に通常の送信制御動作に戻ることになる（ステップ１０５，１０１）。
【００４２】
送信出力最小化信号を出力した後は、一定時間τ2毎に機器故障信号の有無を確認し、機器故障信号がなくなれば通常の送信制御動作に戻る（ステップ１０７，１０５，１０１）。このとき、自動的に復旧するのではなく、保守作業者の交換作業等に伴う操作によって、当初の送信出力制御動作に戻るとしてもよい。
【００４３】
図４は、図１の送信電力制御装置を含む無線通信システムの第二例を示すブロック図である。以下、図２及び図４に基づき説明する。ただし、図４において図２と同じ部分は同じ符号を付すことにより説明を省略する。
【００４４】
図２の送受信機１０では、送受共用器１６ａ，１６ｂが二個あり、アンテナ１７ｂが送受共用であり、制御回路１５が送信ミュート信号Ｓ８ａ，Ｓ８ｂを出力する。これに対し、図４の送受信機３０では、送受共用器３６が一個だけであり、アンテナ１７ｂが受信専用であり、制御回路３５が送信切替信号Ｓ９を出力し、送信切替信号Ｓ９を入力して接続を切り替える切替回路３７が付設されている。
【００４５】
図２の送受信機２０では、送受共用器２６ａ，２６ｂが二個あり、アンテナ２７ａが送受共用である。これに対し、図４の送受信機４０では、送受共用器４６が一個だけであり、アンテナ２７ａが受信専用であり、その代わりに切替回路４７が付設されている。
【００４６】
図４の第二例は、図２の第一例と比べて、送信ミュート信号Ｓ８ａ，Ｓ８ｂの代わりに送信切替信号Ｓ９を用いているが、送信盤１１ａ，１１ｂのいずれの一方の出力信号をアンテナから送信するという点で同じである。
【００４７】
なお、本実施形態の送信電力制御装置は、受信側の機器故障信号発生方法には全く拠っていないので、従来の多くの機器故障信号発生方法に対して動作可能である。
【図面の簡単な説明】
【００４８】
【図１】本発明に係る送信電力制御装置の一実施形態を示すブロック図である。
【図２】図１の送信電力制御装置を含む無線通信システムの第一例を示すブロック図である。
【図３】図１の送信電力制御装置の動作の一例を示すフローチャートである。
【図４】図１の送信電力制御装置を含む無線通信システムの第二例を示すブロック図である。
【図５】第一従来技術を示すブロック図である。
【図６】第二従来技術を示すブロック図である。
【符号の説明】
【００４９】
１０，２０，３０，４０  送受信機
１１ａ，１１ｂ，２１ａ，２１ｂ  送信盤
１２ａ，１２ｂ，２２ａ，２２ｂ  ミュート回路
１３ａ，１３ｂ，２３ａ，２３ｂ  受信盤
１４，３７，４７  切替回路
１５，３５  制御回路（送信電力制御装置）
１６ａ，１６ｂ，２６ａ，２６ｂ，３７，４７  送受共用器
２４ａ，２４ｂ  ＢＥＲ検出回路
２５  送信電力制御盤
２８  分岐回路
Ｓ１ａ，Ｓ１ｂ  受信入力レベル情報
Ｓ２ａ，Ｓ２ｂ  回線品質劣化情報
Ｓ３，Ｓ４ａ，Ｓ４ｂ，Ｓ５ａ，Ｓ５ｂ，Ｓ６  送信出力レベル制御信号（故障信号）
Ｓ７ａ，Ｓ７ｂ  送信出力制御信号（送信出力最小化信号）
Ｓ８ａ，Ｓ８ｂ  送信ミュート信号（送信切替信号）
Ｓ９  送信切替信号
【図１】
0004670673.tif 000002
【図２】
0004670673.tif 000003
【図３】
0004670673.tif 000004
【図４】
0004670673.tif 000005
【図５】
0004670673.tif 000006
【図６】
0004670673.tif 000007